(57)【要約】【課題】  乳幼児を安全に撮影室に移動し、且つ安全に画像診断撮影用寝台に保持できる画像診断装置及びその補助具を提供する。【解決手段】  被検体Ｐをマット１に載置し、ベルト状保持具４を用いて被検体Ｐをマット１上に保持・固定した状態で、マット１を保持する支持体２の一端部に設けられた固定機構３を用いて、天板１１の先端部１１ａに固定して、撮影を行う。【選択図】  図１
2006197966.tif 000002
【特許請求の範囲】
【請求項１】
被検体が載置されるマットと、
前記マットの底面に配置され、前記マットを保持する支持体と、
前記支持体の長手方向の一端部に設けられ、画像診断装置の天板に前記支持体を着脱可能に固定する固定機構と、
前記マットに載置される前記被検体を保持・固定するためのベルト状保持具とを
備えたことを特徴とする画像診断装置の補助具。
【請求項２】
前記支持体は、前記固定機構により前記画像診断装置の天板の先端部に狭持固定されることを特徴とする請求項１に記載の画像診断装置の補助具。
【請求項３】
前記マット及び支持体の横幅は、前記画像診断装置の天板の長手方向の中央部の横幅よりも短いことを特徴とする請求項１に記載の画像診断装置の補助具。
【請求項４】
前記マット上面の両側部には、前記被検体が脱落するのを防止するためのＸ線透過材で形成された脱落防止用クッションが設けられていることを特徴とする請求項１に記載の画像診断装置の補助具。
【請求項５】
前記支持体の下面には、前記支持体を水平面に置いたときに前記マットの上面を水平に支える足が設けられていることを特徴とする請求項1または請求項２に記載の画像診断装置の補助具。
【請求項６】
前記支持体の長手方向の両端部には、移動用のハンドルが設けられていることを特徴とする請求項１または請求項２または請求項５に記載の画像診断装置の補助具。
【請求項７】
前記ベルト状保持具は、２つのベルトの一端部が前記マットの短手方向の両側部に連結され、他端部同士が着脱自在になっていることを特徴とする請求項１に記載の画像診断装置の補助具。
【請求項８】
少なくとも前記マット、前記支持体、及び前記保持具は、Ｘ線透過材にて形成されていることを特徴とする請求項１乃至請求項７のいずれか１項に記載の画像診断装置の補助具。
【請求項９】
前記固定機構は、
一端部が前記支持体の下面に固定された前記画像診断装置の天板の先端部に挿入する空間部を有する保持部と、
上面の前記支持体と下面の天板押えによって前記天板の先端部を挟持し、前記保持部の螺子穴から前記天板押えに向かって締め付けるボルトとを
具備することを特徴とする請求項１または請求項２に記載の画像診断装置の補助具。
【請求項１０】
前記マットの少なくとも一部は、前記支持体が前記天板に固定された状態で、前記天板よりも外側にあることを特徴とする請求項１に記載の画像診断装置の補助具。
【請求項１１】
被検体が載置される天板と、
この天板を移動する天板移動手段とを有する寝台部と、
前記被検体が載置されるマットと、
前記マットの底面に配置され、前記マットを保持する支持体と、
前記支持体の長手方向の一端部に設けられ、前記被検体が前記マットに載置された場合に前記天板に前記支持体を着脱可能に固定する固定機構と、
前記マットに載置される前記被検体を保持・固定するためのベルト状保持具とを有する助具と、
前記被検体にＸ線を照射するＸ線発生手段と、
前記Ｘ線発生手段からＸ線を照射し、前記被検体を透過したＸ線を検出するＸ線検出手段とを有する撮影部とを
備えたことを特徴とする画像診断装置。
【発明の詳細な説明】
【技術分野】
【０００１】
本発明は、画像診断に用いられる画像診断装置及びその補助具に係り、特に乳幼児の撮影に用いられる画像診断装置及びその補助具に関する。
【背景技術】
【０００２】
Ｘ線診断装置等の画像診断装置に用いられる寝台部は、被検体を載置するための天板と、天板を撮影位置に移動させるための駆動部から構成されている。そして、寝台部の天板は、長手方向における先端部の幅が中央部の幅に比べて狭くなっている（例えば、特許文献１参照。）。
【０００３】
そして、例えば循環器用のＸ線診断装置を用いて被検体の頭部を撮影する場合、Ｘ線診断装置の撮影部を頭部近傍に設定して撮影できるように、被検体は天板の先端部に頭部を向けて載置される。
【０００４】
ところで、循環器用のＸ線診断装置を用いて乳幼児を撮影する場合、麻酔を施した乳幼児をストレッチャーもしくは看護婦が抱き抱えて撮影室に運び込み、頭を外側にして寝台部の天板の先端部に乳幼児を載置する。そして、身体を天板と共にベルトで巻きつけるなどして固定する。そして、天板の先端部及びＸ線診断装置の撮影部を所望の位置に移動して、乳幼児の画像診断撮影を行う。
【特許文献１】特開２００２−２５３５４７号公報
【発明の開示】
【発明が解決しようとする課題】
【０００５】
しかしながら、麻酔を施した乳幼児を安全に撮影室に移動し、寝台部の天板に載置した後、天板から落下しないように、且つ作業者に負担をかけることなく安全に保持・固定するには難しい問題がある。
【０００６】
本発明は、上記問題点を解決するためになされたもので、乳幼児を安全に撮影室に移動し、且つ安全に寝台部に保持できる画像診断装置及びその補助具を提供することを目的とする。
【課題を解決するための手段】
【０００７】
上記問題を解決するために、請求項１に係る本発明の画像診断装置の補助具は、被検体が載置されるマットと、前記マットの底面に配置され、前記マットを保持する支持体と、前記支持体の長手方向の一端部に設けられ、画像診断装置の天板に前記支持体を着脱可能に固定する固定機構と、前記マットに載置される前記被検体を保持・固定するためのベルト状保持具とを備えたことを特徴とする。
【０００８】
また、請求項１１に係る本発明の画像診断装置は、被検体が載置される天板と、この天板を移動する天板移動手段とを有する寝台部と、前記被検体が載置されるマットと、前記マットの底面に配置され、前記マットを保持する支持体と、前記支持体の長手方向の一端部に設けられ、前記被検体が前記マットに載置された場合に前記天板に前記支持体を着脱可能に固定する固定機構と、前記マットに載置される前記被検体を保持・固定するためのベルト状保持具とを有する助具と、前記被検体にＸ線を照射するＸ線発生手段と、前記Ｘ線発生手段からＸ線を照射し、前記被検体を透過したＸ線を検出するＸ線検出手段とを有する撮影部とを備えたことを特徴とする。
【発明の効果】
【０００９】
本発明によれば、画像診断装置による撮影において、乳幼児を補助具のマットに載置してベルト状保持具で保持した状態で撮影室に移動することができる。また、天板に補助具をそのまま固定することができ、画像診断の撮影を容易に行うことができる。更に、天板から補助具をそのまま取外すことができるので、乳幼児の安全を確保すると共に、作業者の作業負担の軽減を図ることができる。
【発明を実施するための最良の形態】
【００１０】
本発明の実施例を説明する。
【実施例】
【００１１】
以下、画像診断装置の実施例を、図１及び図５を参照して説明する。
【００１２】
図１は、実施例の画像診断装置の構成を示した斜視図である。この画像診断装置３０は、Ｘ線撮影を行う撮影部２１と、被検体Ｐを撮影部２１に移動するための寝台部２０とを備えている。
【００１３】
撮影部２１は、Ｘ線を照射するＸ線発生部２２と、このＸ線発生部２２から照射し、被検体Ｐを透過したＸ線を検出するＸ線検出部２３とを備えている。
【００１４】
寝台部２０は、図２に示すように、通常は被検体Ｐを載置するための天板１１と、実施例では被検体Ｐが載置された補助具１０と、天板１１を支持する支持台１２と、被検体Ｐを撮影位置に合わせるために天板１１を移動する移動機構部１３から構成されている。天板１１は、通常は被検体Ｐの胴部部分が載置される中央部１１ｂと、頭部部分が載置され、中央部１１ｂの幅に比べて狭くなっている長手方向の先端部１１ａから形成されている。
【００１５】
補助具１０は、被検体Ｐを載置するマット１と、下側からマット１を保持する支持体２と、支持体２を天板１１に着脱可能に固定する固定機構３と、被検体Ｐをマット１上に保持・固定するベルト状保持具４と、マット１の両側部に設けられ被検体Ｐがマット１から脱落するのを防止する脱落防止用クッション５と、補助具１０を撮影室に運ぶときに使用するハンドル６と、マット１を水平に支える４つの足７とを備えている。そして、補助具１０は、寝台部２０における天板１１の先端部１１ａに固定されている。
【００１６】
マット１は、被包と、この被包内に収納したクッション材から構成され、その材料には、例えば被包には消毒液に対して耐薬品性を備えＸ線透過性に優れたビニールレザー、内部のクッション材としてＸ線透過性に優れたウレタンフォームなどが用いられる。また、マット１は、支持体２の天板１１の先端部１１ａよりも外側に配置され、マット１の上面及び底面は、共に同じ長方形を形成し、その底面が支持体２に固定されている。更に、マット１の横幅は、天板１１の中央部１１ｂの横幅よりも短くなっている。
【００１７】
そして、乳幼児などの被検体Ｐは、マット１の長手方向の外側に頭部、天板１１の先端部１１ａ側に脚部を向けてマット１の上面に載置される。このように、被検体Ｐを載置したマット１が天板１１に重ならないように固定されているので、画像診断の際にＸ線が余分な天板１１にまで照射して、Ｘ線画像の画質が低下するのを防いでいる。
【００１８】
支持体２は、その上面にマット１の底面が固定されており、その材料には、例えばＸ線透過性に優れたカーボンコンポジット材などが用いられる。また、支持体２の上面及び下面は長方形を形成し、その長手方向は天板１１の先端部１１ａに向かってマット１よりも長くなっており、その横幅はマット１とほぼ同じ長さになっている。更に、支持体２の下面は、マット１の上面に水平になるように形成されている。
【００１９】
固定機構３は、支持体２の天板１１の先端部１１ａ側の下面に設けられ、補助具１０を天板１１の先端部１１ａに固定するために設けられている。
【００２０】
次に、図３を参照して、補助具１０のベルト状保持具４及び脱落防止用クッション５の形状について説明する。図３は、図１の補助具１０を被検体Ｐの頭部側から見た正面図である。
【００２１】
ベルト状保持具４は、保持具４ａ及び４ｂから構成され、その材料には、Ｘ線透過性に優れた例えばナイロンなどが用いられる。また、ベルト状保持具４の保持具４ａ及び４ｂは、夫々一端部はマット１の両側部に連結され、他端面の例えば保持具４ｂにマジックテープ（登録商標）のループ面を有し、保持具４ａにフック面を有し、他端面同士を着脱可能に接続できるようになっている。そして、マット１の上面に載置される被検体Ｐに、ベルト状保持具４の保持具４ａ及び４ｂを巻きつけることにより、被検体Ｐが安定した姿勢で保持・固定される。
【００２２】
脱落防止用クッション５は、被包と、この被包内に収納したクッション材から構成され、その材料には、例えば被包には消毒液に対して耐薬品性を備えＸ線透過性に優れたビニールレザー、内部のクッション材としてＸ線透過性に優れたウレタンフォームなどが用いられる。
【００２３】
また、脱落防止用クッション５は、マット１の長手方向の長さより少し短い長さで、その底面Ａがマット１の上面の短手方向の両側部に固定されている。更に、載置時に被検体Ｐを保持しやすい形状とした脱落防止用クッション５の側面Ｂは、その上部Ｃからマット１の上面に近づくに従って緩やかに傾斜した曲面を形成している。
【００２４】
従って、脱落防止用クッション５は、載置時に被検体Ｐのマット１の左右への移動に対して側面Ｂで受け止めて、被検体Ｐがマット１の短手方向から脱落するのを防ぐと共に、被検体Ｐが湾曲した側面Ｂに当たることによって受ける不快感を和らげている。
【００２５】
図1に戻り、ハンドル６は、支持体２の長手方向の両端近傍に左右に長い穴が形成されたもので、補助具１０を撮影室へ移動する際に用いられる。なお、ハンドル６には、長穴の代わりに例えばＸ線透過性に優れたカーボンコンポジット材からなる取っ手を設け、更に両側の取っ手に着脱可能なフックが連結された肩がけベルトを設けるようにしてもよい。
【００２６】
足７は、同じ高さの足７a乃至７ｄから構成され、各足７ａ乃至７ｄの上端部が支持体２の下面の４角部に固定されている。また、足７ａ及び７ｂは、図４に示すように、天板１１の先端部１１ａの外側に配置されている。更に、足７ａ乃至７ｄの下端部は、図３の破線で示した固定機構３の最下端部よりも下方に設定され、画像診断装置の補助具１０を水平面に置いた場合、マット１及び支持体２の各面が水平になるようになっている。
【００２７】
次に、図３及び図４を参照して、固定機構３の詳細について説明する。図４は、固定機構３を図３の右側から見た側面図である。
【００２８】
固定機構３は、天板１１を下方から押えるための天板押え３１と、この天板押え３１を先端部に遊嵌し、天板押え３１を介して天板１１を下方から押えて支持体２を天板１１に取り付けるためのボルト３２と、このボルト３２を保持する支持体２に取り付けられた保持部３３とから構成される。
【００２９】
ボルト３２は、図３に示すように左右に２本あり、天板１１の先端部１１ａに支持体２を固定するために、支持体２と天板押え３１との間に挟み込みまれた先端部１１ａを締め付ける構造を有している。
【００３０】
保持部３３は、一端部が支持体２の下面に固定された断面がＬ字形の形状を有し、支持体２と平行な面にはボルト３２が蝶合する螺子穴３３ｃが形成されている。また、保持部３３の横幅は、天板１１の先端部１１ａの幅とほぼ同じになっている。
【００３１】
次に、補助具１０を、天板１１の先端部１１ａに固定する作業手順について説明する。
【００３２】
まず、支持体２の固定機構３側の下面を天板１１の先端部１１ａの上面に当接させて、且つ固定機構３の保持部３３のＬ字形によって形成される空間部を天板１１の先端部１１ａに挿入する。次いで、その状態で、２つの天板押え３１が天板１１の下面を押え付ける方向に２本のボルト３２をねじ込むことにより、天板１１の先端部１１ａが支持体２及び天板押え３１に挟持され、補助具１０が天板１１の先端部１１ａに取り付けられる。
【００３３】
上述の作業により、補助具１０は、マット１の上面が天板１１の上面に平行になるように固定される。
【００３４】
以下、図１乃至図５を参照して、実施例に係る画像診断装置１０を用いた画像診断作業を説明する。図５は、画像診断装置１０を用いた画像診断作業の手順を示したフローチャートである。
【００３５】
まず、画像診断装置による撮影の準備のために、被検体Ｐを患者用ベッドから補助具１０のマット１に載置する（ステップＳ１）。そして、必要に応じて麻酔を施した被検体Ｐを、ベルト状保持具４の保持具４ａ，４ｂで補助具１０に保持・固定する（ステップＳ２）。
【００３６】
次に、ハンドル６を用いて補助具１０を持ち上げて、被検体Ｐを保持具１０に保持・固定した状態で、撮影室に移動する（ステップＳ３）。そして、補助具１０の固定機構３の保持部３３を天板１１の先端部１１ａに挿入し、天板１１の先端部１１ａを支持体２と天板押え３１とボルト３２で挟持し、天板１１の先端部１１ａに固定する（ステップＳ４）。
【００３７】
次に、補助具１０を天板１１の先端部１１ａに固定した状態で、撮影部２１を所望の位置に設定して、被検体Ｐの撮影を行う（ステップＳ５）。
【００３８】
撮影終了後、補助具１０を天板１１の先端部１１ａから取り外す（ステップＳ６）。次いで、ハンドル６を用いて被検体Ｐを保持・固定した補助具１０を撮影室から患者用ベッドに移動する（ステップＳ７）。そして、ベルト状保持具４を外して、被検体Ｐを患者用ベッドに移して作業を完了する（ステップＳ８）。
【００３９】
以上述べた本発明の実施例によれば、被検体Ｐをマット１に載置し、ベルト状保持具４で補助具１０に保持・固定することにより、被検体Ｐを安定した姿勢に保った状態で安全に撮影室へ移動させることができる。
【００４０】
また、マット１に載置した被検体Ｐをベルト状保持具４で保持した状態で、支持体２と固定機構４を用いて天板１１の先端部１１ａに補助具１０を固定した後、撮影が行われ、更に撮影終了後には天板１１の先端部１１ａから補助具１０を取り外すことにより、被検体Ｐの姿勢を安定に保った状態で安全に画像診断作業を行うことができ、作業者の負担を軽減することができる。
【００４１】
更に、天板１１の先端部１１ａに補助具１０が固定されるので、撮影部２１を被検体Ｐの近傍に設定して撮影を行うことができる。
【００４２】
なお、本発明は上記実施例に限定されるものではなく、例えばＸ線ＣＴ装置や核医学診断装置の画像診断装置の天板に固定して実施するようにしてもよい。
【００４３】
また、画像診断装置３０の撮影部２１を被検体Ｐの近傍に近づけて撮影する必要が無い場合には、天板１１の先端部１１ａ以外に固定して実施するようにしてもよい。
【図面の簡単な説明】
【００４４】
【図１】本発明の実施例に係る画像診断装置の構成を示す斜視図。
【図２】本発明の実施例に係る寝台部の一例を示す図。
【図３】本発明の実施例に係る補助具を被検体の頭部側から見た図。
【図４】本発明の実施例に係る補助具の固定機構の側面図。
【図５】本発明の実施例に係る画像診断装置を用いた画像診断作業の手順を示すフローチャート。
【符号の説明】
【００４５】
Ｐ  被検体
１  マット
２  支持体
３  固定機構
４、４ａ、４ｂ  ベルト状保持具
５  脱落防止用クッション
６  ハンドル
７、７ａ、７ｂ、７ｃ、７ｄ  足
１０  補助具
１１  天板
１１ａ  先端部
１１ｂ  中央部
１２  支持台
１３  移動機構部
２０  寝台部
２１  撮影部
２２  Ｘ線照射部
２３  Ｘ線発生部
３０  画像診断装置
【図１】
2006197966.tif 000003
【図２】
2006197966.tif 000004
【図３】
2006197966.tif 000005
【図４】
2006197966.tif 000006
【図５】
2006197966.tif 000007